(57)【要約】【課題】輝度むら低減することのできる面発光装置及びこれを備えた表示装置を提供する。【解決手段】面発光装置１は、反射板１２上に、複数の光源１１、光源像分割シート１０、拡散シート１３をこの順に備える。光源像分割シート１０は、その表面に互いに底角の異なる２種類の断面台形状の突起１０ａ，１０ｂを有し、これらが交互に繰り返し配置されている。光源１１から射出した光束は光源像分割シート１０にて複数に分割され、複数の光源像１４を出現させる。これら光源像１４どうしの間隔ｄｉが５ｍｍ以下となっていることにより、輝度の均一性を確保することができる。【選択図】図１
2008146886.tif 000002
【特許請求の範囲】
【請求項１】
複数の光源と、
複数の突起を有すると共に、一つの光源から射出した光束を分割して複数の光源像を出現させる光源像分割シートとを備え、
前記光源像どうしの間隔がそれぞれ５ｍｍ以下となっている
ことを特徴とする面発光装置。
【請求項２】
前記光源像どうしの間隔がそれぞれ等しい
ことを特徴とする請求項１記載の面発光装置。
【請求項３】
前記光源像分割シートの前記光源とは反対側に、前記光源像を拡散させる拡散シートが設けられている
ことを特徴とする請求項１記載の面発光装置。
【請求項４】
前記光源を間にして、前記光源像分割シートと対向配置された反射板を備えた
ことを特徴とする請求項１記載の面発光装置。
【請求項５】
前記光源が線状光源である
ことを特徴とする請求項１記載の面発光装置。
【請求項６】
画像信号に基づいて駆動される表示パネルと、
前記表示パネルの表示面とは反対側に配置され、前記表示パネルに光を照射する面発光装置とを備え、
前記面発光装置は、
複数の光源と、
複数の突起を有すると共に、一つの光源から射出した光束を分割して複数の光源像を出現させる光源像分割シートとを有し、
前記光源像どうしの間隔がそれぞれ５ｍｍ以下となっている
ことを特徴とする表示装置。
【発明の詳細な説明】
【技術分野】
【０００１】
本発明は、表示装置における直下型バックライトとして好適な面発光装置及びこれを備えた表示装置に関する。
【背景技術】
【０００２】
従来、ワードプロセッサやラップトップ型のパーソナルコンピュータ等の表示装置 として、薄型で見やすいバックライト（面発光装置）を備えた液晶表示装置が用いられている。このような液晶表示装置用のバックライトとしては、軽量化・薄型化の要請から、透明板体（導光板）の側端部に蛍光管のような線状光源を配置し、この導光板の上に光拡散性のシート等を介して液晶表示パネルを設置したエッジライト形式のバックライトが主流となっていた。
【０００３】
しかし、近時の表示装置の大型化に伴い、上述のエッジライト形式のバックライトでは輝度が不十分となることが多いことから、液晶パネルの直下に光源と光拡散性シートを配置した形式の直下型バックライトが用いられるようになっている。
【０００４】
図１２は従来の直下型バックライト装置の概略構成を示す斜視図である。このバックライト装置は、蛍光管などの線状の光源１０１と、光源１０１の下方に設けられた反射板１０２と、光源１０１の上方に設けられた光拡散性を有する拡散板１０３とを有している。このような構成において、拡散板１０３はバックライト装置の出光面を形成している。
【０００５】
このようなバックライト装置においては、光源１０１から射出した光束は拡散板１０３により拡散されたのち、拡散板１０３の上方から出射する。ところが、このバックライト装置から出射した光束の輝度は、光源１０１の直上位置で高く、光源１０１同士の中間部の上方位置では低くなる。このため、光源の位置によって、発光輝度に差が生じてしまい、輝度むら発生の原因となっていた。
【０００６】
そこで、図１３に示すように、光源１０１と拡散板１０３との間に、プリズムシート１００を設けることによって、輝度分布を均一化する手法が知られている（特許文献１〜３参照）。プリズムシート１００は、その表面に断面が三角形状の複数の線状突起（プリズム）１００ａを有しており、これらの線状突起１００ａが等間隔で連続的に設けられている。このプリズムシート１００の突起により、光源１０１から照射された光束が分割され、輝度分布が均一化される。
【０００７】
【特許文献１】特開平５−３３３３３３号公報
【特許文献２】特開平６−２５０１７８号公報
【特許文献３】特開平１０−２８３８１８号公報
【発明の開示】
【発明が解決しようとする課題】
【０００８】
ここで、図１４に、光源１０１からプリズムシート１００に照射される光の光路を模式的に示す。光源１０１からプリズムシート１００のほぼ法線方向（光源１０１から近距離にある位置）に対して入射する光Ｌ１は、プリズムシート１００の線状突起１００ａの傾斜面（プリズム面）で全反射し、光源１０１側に戻されてリサイクルされる。また、プリズムシート１００にある角度をもって入射する光Ｌ２，Ｌ３は、線状突起１００ａで正面方向（法線方向）に立ち上げられて出射し、それぞれ光源イメージＩ１、Ｉ２を出現させる。更に、光Ｌ２，Ｌ３が入射した位置よりも光源１０１から離れた位置で、プリズムシート１００に入射する光Ｌ４は、プリズムシート１００の下面で反射されて光源１０１側に戻される。従って、断面三角形状のプリズムを等間隔に配列したプリズムシート１００を用いることにより、１つの光源１０１から照射される光束が２つに分割されることとなる。
【０００９】
しかしながら、上記のように、光源から射出した光束を漫然と分割するというだけでは、仮に分割数を３つ、４つと増やしたとしても、例えば、光源どうしの間隔や光源とプリズムシートとの間隔によっては、輝度の均一性を確保できず、大きな輝度むらが生じるという問題があった。
【００１０】
本発明はかかる問題点に鑑みてなされたもので、その目的は、輝度むらを低減することのできる面発光装置及びこれを備えた表示装置を提供することにある。
【課題を解決するための手段】
【００１１】
本発明による面発光装置は、複数の光源と、複数の突起を有すると共に、一つの光源から射出した光束を分割して複数の光源像を出現させる光源像分割シートとを備え、光源像どうしの間隔がそれぞれ５ｍｍ以下となっている。
【００１２】
本発明による表示装置は、画像信号に基づいて駆動される表示パネルと、表示パネルの表示面とは反対側に配置され、表示パネルに光を照射する面発光装置とを備え、面発光装置は、複数の光源と、複数の突起を有すると共に、一つの光源から射出した光束を分割して複数の光源像を出現させる光源像分割シートとを有し、光源像どうしの間隔がそれぞれ５ｍｍ以下となっている。
【００１３】
ただし、本発明において、「光源像」とは、光源像分割シートから出射する光の輝度分布において、輝度のピークを示す光束を表すものとし、「光源像どうしの間隔」とは、輝度分布において隣り合うピーク（頂点）どうしの面内方向における間隔をいうものとする。
【００１４】
本発明による面発光装置および表示装置では、一つの光源から射出された光束が分割されることにより出現する複数の光源像どうしの間隔がそれぞれ５ｍｍ以下となっている。これにより、面発光装置の照射輝度の均一性が確保される。
【発明の効果】
【００１５】
本発明による面発光装置および表示装置によれば、複数の光源と、複数の突起を有すると共に、一つの光源から射出した光束を分割して複数の光源像を出現させる光源像分割シートとを備え、光源像どうしの間隔がそれぞれ５ｍｍ以下となるようにしたので、面発光装置の照射輝度が均一になり、輝度むらを低減することができる。
【発明を実施するための最良の形態】
【００１６】
以下、本発明の各実施の形態について図面を参照して説明する。
【００１７】
図１および図２は、本発明の一実施の形態に係る面発光装置（以下、単に面発光装置１とする。）の概略構成を表す斜視図および断面図である。面発光装置１は、反射板１２上に、複数の光源１１と、光源１１から照射された光束を分割して複数の光源像１４を出現させる光源像分割シート１０と、拡散シート１３とがこの順に設けられたものであり、特に、光源像１４どうしの間隔が５ｍｍ以下となるものである。この面発光装置１は、例えば液晶表示装置の直下型バックライト装置として好適に用いられ、この場合、拡散シート１３の上方に液晶表示パネルが配置される。液晶表示パネルとしては、例えば、液晶層を封止した一対の駆動基板と対向基板とから構成され、面発光装置１から照射された光が、画像データに基づき、透過・変調されることにより様々な表示が行われる。
【００１８】
光源１１は、光源像分割シート１０側に光を照射するものであり、例えば、蛍光管等の線状の光源により構成されている。蛍光管としては、例えば、冷陰極管や熱陰極管等を用いることができる。この光源１１は、輝度むらを低減させるために、反射板１２の面内方向において、互いにその延在方向が平行となるように等間隔で配置されていることが好ましい。複数の光源１１どうしの間隔は、特に限定されない。一般的に、このような線状の光源は、２０ｍｍ程度の間隔で配置されることが多いが、本実施の形態では、例えば２０ｍｍ以上と広い間隔で配置することも可能である。なお、蛍光管のような線状光源に限られず、線状に配列されたＬＥＤ（Light Emitting Diode）や有機ＥＬ（ＥＬ；Electro Luminescence）素子のような複数の点状光源であっても構わない。
【００１９】
反射板１２は、光源１１より放出される光等を反射させる機能を有しており、光を効率的に利用するために設けられるものである。反射板１２は、例えば、アルミニウム（Ａｌ）、発泡ＰＥＴ（ポリエチレンテレフタレート）およびポリカーボネート等により構成され、具体的には、反射シートＥ６０Ｌ（きもと（株）製：商品名）及びクリスタルホワイト（日本スカイアルミ（株）製：商品名）等が用いられる。
【００２０】
拡散シート１３は、透光性を有すると共に、光源像１４を拡散させる機能を有している。拡散シート１３は、板状の比較的厚みの大きいものから、フィルム状の比較的厚みの小さいものまでを広く含む概念であり、これらが単独で用いられてもよいし、複数枚組み合わされて用いられてもよい。拡散シート１３は、例えばアクリルやポリカーボネート等により構成され、具体的には、ＤＲ−６０Ｃ（日東樹脂（株）製：商品名）及びＮＢ０１（三菱レイヨン（株）製：商品名）等が用いられる。拡散シート１３の厚みは、必要とされる拡散性や構成材料によって決定されるものであるが、本実施の形態では、０．３ｍｍ以下のものであっても、好適に用いることができる。
【００２１】
光源像分割シート１０は、透光性を有する樹脂材料、例えば、ポリカーボネートやＰＭＭＡ（ポリメチルメタクリレート）、ポリスチレン系の熱可塑性樹脂により構成されている。この光源像分割シート１０の表面には、突起、例えば、多角柱等の線状突起（プリズム）が複数設けられている。これらの突起の形状および配置は、図２に示したように、光源１１どうしの間隔Ｗや光源１１と光源像分割シート１０との間隔Ｈ等に基づいて、複数の光源像１４を５ｍｍ以下の間隔で出現させるように設計されている。例えば、光源１１どうしの間隔Ｗが比較的大きい場合には、互いに異なる形状を有する突起どうしが、周期的な配置で設けられていることが好ましい。一方、光源１１どうしの間隔Ｗが比較的小さい場合には、同一種類の突起を連続的に配置するようにしてもよい。
【００２２】
例えば、２種類の断面台形状の突起１０ａ，１０ｂが、互いにその稜線方向が平行となるように、交互に繰り返し隣接して配置されている。突起１０ａ，１０ｂの稜線方向と光源１１の延在方向とは、互いに平行となっている。
【００２３】
ここで、図３に、突起１０ａ，１０ｂの断面拡大図を示す。突起１０ａおよび突起１０ｂは、それぞれ、その断面形状が２底角の等しい等脚台形となっている。突起１０ａは、底角がαで、２つの斜面Ｓ１，Ｓ２を有しており、その上底面が、シート面に平行な面（平坦面）Ｓ５となっている。突起１０ｂは、底角がβで、２つの斜面Ｓ３，Ｓ４を有しており、その上底面が、シート面に平行な面（平坦面）Ｓ５となっている。突起１０ａおよび突起１０ｂのそれぞれの底角α、βは互いに異なっている（α＞β）。但し、底角とは、台形の下底面と各斜面Ｓ１，Ｓ２，Ｓ３，Ｓ４とのなす角とし、これらの面の傾斜角に等しいものとする。
【００２４】
このような構成により、光源像分割シート１０は、５種類の面Ｓ１，Ｓ２，Ｓ３，Ｓ４，Ｓ５を有している。但し、面の「種類」とは、面の傾斜角および傾斜方向によって規定され、これらのうち少なくとも一方が異なるものをいうものとする。
【００２５】
上記のような構成を有する光源像分割シート１０は、例えば、バイト切削により作製した原盤を用いて突起形状を基板に転写することにより形成することができる。この際、図４（Ａ）に示したように、突起１０ａおよび突起１０ｂと、これらを支持する基材１０ｐとを、熱可塑性樹脂の一体成型（熱プレス）で形成するようにしてもよい。あるいは、図４（Ｂ）に示したように、基材１０ｐ上に、エネルギー線（例えば紫外線）硬化型樹脂を用いて、突起１０ａ、１０ｂを転写するようにしてもよい。この他にも、例えば、溶融押し出しや射出成型等、様々な転写方法により形成することができる。
【００２６】
なお、光源像分割シート１０は、２枚以上積層して設けられるようにしてもよい。また、突起１０ａおよび突起１０ｂの稜線方向と光源１１の延在方向とが一定の角度（例えば４５°）をなすように交差して配置されていてもよい。例えば、複数の光源像分割シート１０を設ける場合には、各光源像分割シート１０における突起の稜線方向を光源１１の延在方向と交差させて配置したり、あるいは、光源像分割シート１０どうしの突起の稜線方向が互いに異なるように配置することにより、干渉縞（モアレ）の発生を抑制することができる。
【００２７】
光源像１４について、図５および図６を参照して説明する。図５に示したように、光源像分割シート１０によって、一つの光源１１から射出された光束が分割されることにより、シートの上方に、複数の光源像１４が出現する。より詳細には、光源１１より、５種類の面Ｓ１，Ｓ２，Ｓ３，Ｓ４，Ｓ５に対して、ある角度をもって入射する光Ｌ１，Ｌ２，Ｌ３，Ｌ４，Ｌ５が立ち上げられる（シートの上方に射出される）ことにより、一つの光源１１に対して、５つの光源像１４が形成される。従って、光源像分割シート１０に設けられた複数の突起や平坦な面によって構成される面のうち、その種類の数だけ、光源像１４が出現することとなる。この光源像１４は、あたかも複数の光源が分散して配置されているかのように見做すことのできる「見かけの光源」として機能するものである。
【００２８】
この光源像１４どうしの間隔ｄｉ（ｉ＝１，２，３，…）は、それぞれ５ｍｍ以下となっている。間隔ｄｉは、図６に示したように、光源像１４、すなわち光源像分割シート１０により分割された光Ｌ１，Ｌ２，Ｌ３，Ｌ４，Ｌ５が形成する輝度分布Ａにおいて、輝度がピークとなる頂点Ｔどうしの面内方向における距離ｄ１，ｄ２，ｄ３，ｄ４…である。これらｄ１，ｄ２，ｄ３，ｄ４，…の全てが、５ｍｍ以下となっている。より好ましくは、５ｍｍ以下で、かつ等間隔となっている。
【００２９】
次に、上記のような構成を有する面発光装置１の作用、効果について説明する。
【００３０】
本実施の形態の面発光装置では、一つの光源１１より照射された光束のうち、光源像分割シート１０の突起１０ａ，１０ｂを構成する５つの面Ｓ１，Ｓ２，Ｓ３，Ｓ４，Ｓ５に対して、ある角度をもって入射する光Ｌ１，Ｌ２，Ｌ３，Ｌ４，Ｌ５は、光源像分割シート１０において全反射することなく透過される。これにより、一つの光源１１から照射された光束が分割され、５つの光源像１４が、光源像分割シート１０の上方に出現する。
【００３１】
ここで、図７（Ａ）に、光源像１４どうしの間隔ｄｉ（ｍｍ）に対する輝度むら率（％）を測定した結果を示す。ただし、輝度むら率は、図７（Ｂ）に示した輝度分布における発光輝度の最大値と最小値との差の平均値に対する割合（（最大値−最小値）／平均値）とする。この結果、間隔ｄｉが５ｍｍ以下の場合、輝度むら率（％）が１％以下となることがわかる。輝度むら率は、１％以下で、人間の視覚によって認識できないレベルとなるため、光源像１４どうしの間隔ｄｉが５ｍｍ以下であることにより、照射輝度の均一性が確保される。従って、輝度むらを低減することができる。
【００３２】
また、光源像１４どうしの間隔ｄｉが等間隔であることにより、より効果的に照射輝度の均一性を確保することができる。
【００３３】
さらに、拡散シート１３の厚みは、０．３ｍｍ以下にまで、薄くすることが可能となる。拡散シート１３の厚みが小さいと、その分拡散性も小さくなるが、このように拡散機能が低いものであっても、本実施の形態では、十分に輝度の均一性が確保されているため、問題は生じない。また、光源像１４どうしの間隔ｄｉを十分に小さく設定することにより、拡散シート１３を使用しない面発光装置１を作製することも可能である。従来のように、光源から射出する光束を単に分割するという手法では、光源１１どうしの間隔Ｗ等によって、輝度の均一性を確保できない場合が生じる。このため、拡散シートにおいて、より高い拡散性が必要とされ、厚みの大きな拡散シートを使用しなければならなかった。これに対し、本実施の形態では、比較的厚みの小さな拡散シートを用いた場合でも、十分な輝度の均一性を確保することができるため、装置全体の厚みの増大が抑制され、薄型化やコスト削減に有利となる。
【００３４】
また、光源１１どうしの間隔を従来（２０ｍｍ程度）よりも拡げて配置することが可能となり、これによって光源１１の数を減らすことができるため、低消費電力化に有利となる。
【００３５】
なお、光源像分割シート１０の突起形状は、バイト等の切削により作製した原盤を用いて形成するため、突起の断面形状が多角形であることにより、突起が曲面形状である場合に比べて、バイトや原盤の作成が容易となり、量産性が向上する。また、光源像の分割（出現）数、すなわち、光源像分割シート１０における面の種類の数を増やすことが輝度の均一性を直接的に確保する訳ではないが、光源１１どうしの間隔や光源１１と光源像分割シート１０との間隔が同じであるならば、面の種類が多い程、より多くの光源像１４をより狭い間隔で出現させることができるため、その分、光源像１４どうしの間隔ｄｉを５ｍｍ以下に設定しやすくなる。
【００３６】
（変形例）
図８（Ａ）〜図８（Ｈ）に、変形例に係る面発光装置の光源像分割シート１０の断面構成について示す。本変形例では、光源像分割シート１０以外は、上記面発光装置１と同様の構成を有している。
【００３７】
図８（Ａ）は、互いに底角の異なる２種類の二等辺三角形が交互に繰り返し隣接して配列したものである。図８（Ｂ）は、同一形状の五角形が隣接して複数配列したものである。図８（Ｃ）は、シート面に垂直な方向に対して互いに対称形をなす２種類の三角形が交互に繰り返し隣接して配列したものである。これにより、面の種類は、図８（Ａ）〜図８（Ｃ）のいずれの構成においても４つとなる。
【００３８】
図８（Ｄ）〜図８（Ｆ）は、それぞれ、図８（Ａ）〜図８（Ｃ）に示した突起どうしが間隔を隔てて配列したものである。これにより、図８（Ｄ）〜図８（Ｆ）では、図８（Ａ）〜図８（Ｃ）に比べて、面の種類が一つ増えることとなる。
【００３９】
図８（Ｇ）は、台形と五角形とが交互に繰り返し隣接して配列したものである。図８（Ｈ）は、互いに底角の異なる台形どうしが交互に繰り返し隣接して配列したものである。これにより、面の種類は、図８（Ｇ）で７つ、図８（Ｈ）で５つとなる。
【００４０】
ただし、光源像分割シート１０に設けられる突起は、上記実施の形態および変形例で挙げた構成に限定される訳ではない。光源１１どうしの間隔Ｗや光源１１と光源像分割シート１０との間隔に基づいて、光源像１４を５ｍｍ以下の間隔で出現させるような構成であればよく、その断面形状の底角あるいは頂角、ピッチ、高さ等は、特に限定されない。また、多角柱状に限定されず、曲面を有する円柱状であってもよく、球面形状や非球面形状等のレンズ機能を有していてもよい。さらに、線状のものに限定されず、円錐体や角錐体等の錐体状であってもよい。また、突起は光源像分割シート１０の表面側に限らず、裏面側に形成されていてもよく、表裏両面に形成されていてもよい。
【実施例】
【００４１】
次に、本実施の形態に係る実施例について説明する。
【００４２】
（実施例１−１，１−２、比較例１−１〜１−４）
実施例１−１，１−２として、図８（Ｄ）に示した変形例に係る光源像分割シート（以下、光源像分割シート２０とする。）を用いた面発光装置１を、次のような条件で作製し、輝度分布を測定した。光源像分割シート２０には、図９に示した断面構成を有するものを用いた。具体的には、突起２０ａは、その断面形状が、下辺ａｅの長さが１００μｍ、∠ｂａｅ（＝∠ｄｅａ）が５４．３°、∠ｃｂｄ（＝∠ｃｄｂ）が２５°の対称５角形状となるようにした。また、突起２０ｂは、その断面形状が、下辺（下底）ｅａの長さが７５μｍ、上辺（上底）ｆｇの長さが２５μｍ、底角∠ｆｅａ（＝∠ｇａｅ）が４０°の等脚台形状となるようにした。これにより、光源像分割シート２０では、７種類の面を有している。
【００４３】
このような光源像分割シート２０は、次のようにして形成した。まず、金属製エンボスに上記所定の寸法の形状を彫刻することにより、原盤を作製した。次に、この原盤を用いて、熱可塑性樹脂基板に対して、１８０℃で１０分間、１００（kgf/cm2）のプレス条件で、熱プレスを施し、光源像分割シート１０を形成した。熱可塑性樹脂としては、厚み２００μｍのポリカーボネート樹脂シート（ＦＥ２０００；三菱エンジニアリングプラスチックス（株））を用いた。
【００４４】
なお、光源１１および反射板１２は、液晶テレビＫＤＬ−Ｓ１９Ａ１０（ソニー（株）製）仕様とし、拡散シート１３としては、Ｄ１４１Ｚ（ツジデン（株）製）（厚み：０．２ｍｍ）を用いた。また、光源１１どうしの面内方向における間隔は、３３ｍｍ、光源１１と光源像分割シート１０との面内方向に垂直な方向における間隔は、１５．５ｍｍとした。また、輝度の測定の際しては、輝度計（ＲＩＳＡ−ＣＯＬＯＲ；有限会社ハイランド製）を用いた。
【００４５】
上記のような構成条件において、実施例１−１として、光源像分割シート２０から出射した後、拡散シート１３に入射する前の光の輝度分布を図１０に示し、実施例１−２として、拡散シート１３から出射した後の光の輝度分布を図１１に示す。
【００４６】
また、実施例１−１の比較例として、光源像分割シート２０を備えていないこと以外は実施例１−１と同様の構成条件を有する面発光装置（比較例１−１）と、断面形状が、下辺１００μｍ、底角４３°の二等辺三角形となる線状突起を連続的に複数配列させた光源像分割シートを用いたこと以外は、実施例１−１と同様の構成条件を有する面発光装置（比較例１−２）とを作製し、それぞれ、拡散シート１３に入射する前の光の輝度分布を測定した。結果を、実施例１−１と共に図１０に示す。
【００４７】
さらに、実施例１−２の比較例として、光源像分割シート２０を備えていないこと以外は実施例１−２と同様の構成条件を有する面発光装置（比較例１−３）と、断面形状が、下辺１００μｍ、底角４５°の二等辺三角形となる線状突起を連続的に複数配列させた光源像分割シートを用いたこと以外は、実施例１−２と同様の構成条件を有する面発光装置（比較例１−４）とを作製し、それぞれ、拡散シート１３から出射した後の光の輝度分布を測定した。結果を、実施例１−２と共に図１０に示す。
【００４８】
図１０の結果より、輝度分布における輝度ピークどうしの間隔が、実施例１では４．７ｍｍ、比較例１−１では光源１１の間隔そのままの３３ｍｍ、比較例１−２では１６．５ｍｍであった。すなわち、光源像分割シート２０を用いた実施例１−１では、光源像１４どうしの間隔が５ｍｍ以下となっており、比較例１−１，１−２の輝度分布に比べて、輝度がきめ細やかに均一化され、輝度むらが低減されていることがわかる。
【００４９】
図１１の結果より、拡散シート１３から出射した光の輝度分布は、光源像分割シート２０を有する実施例１−２の面発光装置において、比較例１−３，１−４に比べて、輝度むらのない発光となっていることがわかる。従って、光源像１４どうしの間隔を５ｍｍ以下とし、さらに拡散シート１３を用いることにより、輝度むらのない良好な面発光装置を実現できることがわかる。
【００５０】
以上、本発明の実施の形態および実施例について説明したが、本発明はこれらの実施の形態等に限定されるものではなく、種々の変形が可能である。
【００５１】
例えば、上述の光源像分割シート１０において、突起が形成されていない面側にシボ加工等の粗面化加工を施すことで、取り扱い時における傷つき等を防止することができ、光学特性の劣化を緩和することができる。また、液晶表示装置用のバックライト装置として用いる場合に限られない。また、拡散性シートとして、ドットパターンが設けられた拡散板を用いることで、適切な組み合わせにより、装置の薄型化を図ることができる。
【図面の簡単な説明】
【００５２】
【図１】本発明の一実施の形態に係る面発光装置の概略構成を示す斜視図である。
【図２】図１に示した面発光装置の概略構成を示す断面図である。
【図３】図１に示した面発光装置における光源像分割シートの断面拡大図である。
【図４】図１に示した面発光装置における光源像分割シートの形成方法を説明するための断面図である。
【図５】図１に示した面発光装置において、光源像分割シートにより光源像が出現する際の光の光路を表す模式図である。
【図６】光源像どうしの間隔を説明するための模式図である。
【図７】（Ａ）は光源像どうしの間隔（ｍｍ）に対する輝度むら率（％）の関係を表す特性図であり、（Ｂ）は輝度分布の最大値と最小値を説明するための図である。
【図８】本発明の変形例に係る面発光装置における光源像分割シートの構成の一例を示す断面図である。
【図９】本発明の一実施例に係る面発光装置の光源像分割シートの構成を表す断面図である。
【図１０】実施例１−１、比較例１−１および比較例１−２に係る輝度分布を表す特性図である。
【図１１】実施例１−２、比較例１−３および比較例１−４に係る輝度分布を表す特性図である。
【図１２】従来の面発光装置の概略構成を示す斜視図である。
【図１３】従来の面発光装置の概略構成を示す断面図である。
【図１４】図１３に示した面発光装置における光の光路を表す模式図である。
【符号の説明】
【００５３】
１…面発光装置、１０…光源像分割シート、１１…光源、１２…反射板、１３…拡散シート、１４…光源像、１０ａ，１０ｂ，２０ａ，２０ｂ…突起。
【図１】
2008146886.tif 000003
【図２】
2008146886.tif 000004
【図３】
2008146886.tif 000005
【図４】
2008146886.tif 000006
【図５】
2008146886.tif 000007
【図６】
2008146886.tif 000008
【図７】
2008146886.tif 000009
【図８】
2008146886.tif 000010
【図９】
2008146886.tif 000011
【図１０】
2008146886.tif 000012
【図１１】
2008146886.tif 000013
【図１２】
2008146886.tif 000014
【図１３】
2008146886.tif 000015
【図１４】
2008146886.tif 000016